(57)【特許請求の範囲】
【請求項１】
シャッタ開口に対して同心的に回転可能に設けてあるセクタリングと、モータ基板に装着されたモータのロータ軸の回転を上記セクタリングに伝達可能に設けてある中間車と、上記セクタリングと当該セクタリングに対向するように設けてあるシャッタ基板との間に、上記セクタリングの回転移動によって揺動するように取り付けてある複数のセクタとを備えたカメラ用シャッタの駆動装置であり、
上記中間車は、上記モータ基板またはシャッタ基板のいずれか一方の基板から突出する支持軸に回転自在に嵌合し、
上記セクタリングは、上記中間車に設けられたピニオン部に噛合する歯部を外周部に形成した段差と、当該歯部の外方に当該中間車の一側部を受け止める平坦なつば部とを有することを特徴とするカメラ用シャッタの駆動装置。
【請求項２】
請求項１において、上記シャッタ基板には、上記セクタリングの当該シャッタ基板からの高さを一定に保持する高さ受けが突設されていることを特徴とするカメラ用シャッタの駆動装置。
【発明の詳細な説明】
【０００１】
【発明の技術分野】
本発明はカメラ用シャッタの駆動装置に関するものである。
【０００２】
【従来の技術】
カメラのシャッタの開閉動作を行なわせるための駆動機構、いわゆるカメラ用シャッタの駆動装置には各種多様なものがあることは周知の通りである。このようなカメラ用駆動装置の中で、レンズ開口と同心的な回転可能なセクタリングの回動によって３枚のセクタを揺動させる機構を採用したものがある（例えば特開平６−５４３２１０号公報）。
【０００３】
上記機構において、シャッタ駆動モータからセクタリングまでの動力の伝達は、モータシャフトと一体のロータピニオンと噛合する中間車を経て、中間車のピニオンがセクタリングの外周の部分的範囲に刻設してある歯部と噛合することにより行なうようにしてある。モータ駆動によりセクタリングを往復回転させると、３枚のセクタが揺動してシャッタ開口を所定の絞りで開閉させる。
【０００４】
ところで上記した中間車はギア部と一体のピニオン部を備えた段車状のものからなり、モータ基板に突設された支持軸に回転自在に軸支してあり、一側部は支持軸の基部に形成された段差部によって軸方向への移動が規制され、他側部はモータ基板とシャッタ基板との間に設けられた中板の一側面によって支持することにより軸方向への移動を規制している。
【０００５】
【発明が解決しようとする課題】
上記したように、シャッタの開閉動作をモータの回転によって行なう機構を採用するものである以上、中間車の存在は不可欠であり、これを支持するための中板の設置はやむを得ないものである。しかしながら、中板の設置はシャッタ機構の厚さをそれだけ厚くするとともに部品点数の増加の原因となっている問題がある。
【０００６】
【課題を解決するための手段】
上記の問題を解決するために本発明は、中間車をモータ基板またはシャッタ基板のいずれか一方の基板から突出する軸に回転自在に嵌合し、セクタリングを中間車に設けられたピニオン部に噛合する歯部を外周部に形成した段差と、歯部の外方に中間車の一側部を受け止める平坦なつば部とを有し、複数のセクタをセクタリングとシャッタ基板との間に取り付けるようにしてある。したがって、モータ基板またはシャッタ基板に突設された支持軸に嵌合した中間車の一側部はセクタリングのつば部によって受け止められるため従来技術で採用されていた中板の設置を不要とし、本装置の薄型化を実現した。さらに、シャッタ基板には、セクタリングのシャッタ基板からの高さを一定に保持する高さ受けが突設されている。
【０００７】
【発明の実施の形態】
本発明カメラ用シャッタの駆動装置は、シャッタ開口に対して同心的に回転可能に設けてあるセクタリングと、モータ基板に装着されたモータのロータ軸の回転をセクタリングに伝達可能に設けてある中間車と、セクタリングとセクタリングに対向するように設けてあるシャッタ基板との間に、セクタリングの回転移動によって揺動するように取り付けてある複数のセクタとを備えている。
【０００８】
上記した中間車は、モータ基板またはシャッタ基板のいずれか一方の基板から突出する支持軸に回転自在に嵌合させてあり、セクタリングの歯部と噛合することによってロータの回転をセクタリングに伝達可能にしてある。セクタリングは、中間車に設けられたピニオン部に噛合する歯部を外周部に形成した段差と、歯部の外方に中間車の一側部を受け止める平坦なつば部とを有している。また、シャッタ基板には、セクタリングのシャッタ基板からの高さを一定に保持する高さ受けが突設されている。
【０００９】
【実施例】
図２はシャッタ基板の上面の状態を示したもので、シャッタ基板の上方には後述のモータ基板が対向するように設けてあり、このモータ基板に駆動モータが取り付けてある。
図２に示すように、シャッタ駆動用のモータ（図示略）のロータ軸１にロータピニオン２が固着してある。ロータピニオン２は中間車３のギア部３ａと噛合しており、中間車のピニオン部３ｂは、セクタリング４の歯部４ａと噛合している。セクタリング４は円板状に形成されたシャッタ基板５の前面に位置し、その外周はシャッタ開口ＯＡと同心円の円形に形成してある。
【００１０】
セクタリング４の上面は、段差４ｂが設けてあり、この段差の外側は中間車３の一端部を受け止める幅を有する平坦なつば部としてある。段差の外周部の一部に上記した歯部４ａが刻設してある。
セクタリング４とシャッタ基板５との間には、セクタを設置するためのセクタ室Ｓが設けてある（図１参照）。このセクタ室Ｓには、３枚のセクタ６…が揺動可能に取り付けてある。各セクタ６の基部はシャッタ基板５上に突設されたセクタ用支持ピン５ａ…によって揺動自在に支持されている。なお、セクタ室Ｓを確保するための手段として、シャッタ基板５上の所定位置にはセクタリング４の高さを一定に保持する高さ受け５ｂが突設してある（図１参照）。
【００１１】
図１は本発明の要部を拡大して示したもので、セクタリング４の上面に形成された歯部４ａと中間車３のピニオン部３ｂとが噛合している。中間車３は図示してないモータ基板の下面に突設された支持軸７ａに回転自在に嵌合している。中間車３の一側部（図１上側）は支持軸７ａの基部によって軸方向への移動が規制されており、他側部（図１下側）は、セクタリング４の歯部４ａの外方に所定の幅で形成されたつば部によって受け止めされることにより軸方向への移動を規制されている。なお、セクタリング４の内周部は、モータ基板と一体の保持部７ｂによって浮上が防止されている。
【００１２】
セクタリング４の下面には、セクタ６を揺動させるための駆動ピン４ｃが等角度間隔で３カ所に突設してある。各駆動ピン４ｃは各セクタに設けてある長溝部６ａに係合しており（図２参照）、セクタリング４の回動により駆動ピン４ｃが長溝部内を移動しながら支持軸５ａを中心として各セクタを揺動可能にしてある。なおセクタリング４の外周部には、回動の際における支持軸５ａの相対移動を確保するための切欠部４ｃ…が設けてある。
上記したように、本発明では中間車の軸方向への移動規制は、従来技術のようにモータ基板と中板とによって行なうものではなく、この中板の設置を省いて、モータ基板とセクタリングとによって行なうようにしたもので、部品点数の減少及び装置の薄型化を実現できる。
【００１３】
本実施例では、中間車をモータ基板から突出した軸に嵌合するようにしてあるが、これをシャッタ基板から突出させた軸に嵌合するようにしてもよい。
なお、図面には表示してないがロータピニオン２の位置決めについては、中間車と同様にセクタリング４の一側部で受けるようにすることも可能であるが、モータの安定化のために、ロータ軸２を延長してシャッタ基板５の上面で支持されるようにすることも有効である。
【００１４】
【発明の効果】
本発明によれば、中板を設けず中間車をモータ基板またはシャッタ基板に突出した軸とセクタリングとによって位置決めするようにしてあるため、部品点数を減少させることができるとともに、シャッタの駆動装置を薄型化することができる。
【図面の簡単な説明】
【図１】本発明の要部の拡大断面図である。
【図２】モータ基板を除去して本発明の構成を示す平面図である。
【符号の説明】
ＯＡ                        シャッタ開口
３                            中間車
４                            セクタリング
５                            シャッタ基板
６                            セクタ
７ａ                        支持軸
【図１】
0003612389.tif 000002
【図２】
0003612389.tif 000003